(57)【特許請求の範囲】
【請求項１】
ＧＰＳで受信した基準時間を基準としてシステムクロックとｐｐ２ｓ信号とを発生させるＧＰＳクロック受信部と、
該ＧＰＳクロック受信部から伝送された前記システムクロックを入力して分配するシステムクロック分配器と、
前記ＧＰＳクロック受信部から伝送された前記ｐｐ２ｓ信号を入力して通話距離を拡張できるように基地局同期信号であるクロック信号を発生させるクロック発生部と、
前記クロック発生部から伝送された前記基地局同期信号であるクロック信号に同期してデータを変復調する複数の基地局モデムと、
複数の前記基地局モデムに前記データを伝送するための制御信号を出力するＣＰＵと、
該ＣＰＵから前記制御信号を入力して前記ＣＰＵが所望する前記基地局モデムに前記データが伝送できるように制御する制御部と
を備えたことを特徴とする基地局通話領域拡張用クロック発生装置。
【請求項２】
前記クロック発生部は、
前記制御部から前記制御信号を入力してクロック遅延時間をセッティングするラッチ部と、
前記ＧＰＳクロック受信部から伝送された前記システムクロックをカウンティングし、前記ｐｐ２ｓ信号が入力されるとクリアするカウンタと、
前記ラッチ部でセッティングされた値と前記カウンタでカウントした値とが同じである場合にシグナル１信号を発生させる比較器と、
該比較器から伝送された前記シグナル１信号をクロックに入力してカウンティングし、前記ＧＰＳクロック受信部から前記ｐｐ２ｓ信号を入力してクリアする４進カウンタと、
該４進カウンタの出力値であるａ０、ａ１信号と前記ＧＰＳクロック受信部から前記ｐｐ２ｓ信号とを入力してシグナル２信号を発生する信号発生部と、
前記４進カウンタの出力値である前記ａ０、ａ１信号と前記ＧＰＳクロック受信部から前記ｐｐ２ｓ信号とを入力して、第１通話領域拡張信号を発生する第１領域拡張クロック発生器と、
前記４進カウンタの出力値である前記ａ０、ａ１信号と前記信号発生部から前記シグナル２信号とを入力して、第２通話領域拡張信号を発生する第２領域拡張クロック発生器と、
前記４進カウンタの出力値である前記ａ０、ａ１信号と前記信号発生部から前記シグナル２信号とを入力して、第３通話領域拡張信号を発生する第３領域拡張クロック発生器と、
前記ＧＰＳクロック受信部から出力された前記ｐｐ２ｓ信号と前記第１、第２及び第３領域拡張クロック発生器から出力された前記第１、第２、第３通話領域拡張信号とを入力して、前記制御部から伝送された前記制御信号により設定された信号を出力するマルチプレクサ部と
を含むことを特徴とする請求項１に記載の基地局通話領域拡張用クロック発生装置。
【請求項３】
前記信号発生部は、
前記４進カウンタの出力値である４ビットの前記ａ０、ａ１信号を入力してカウンティングした値が３となるとロー信号を出力するＮＡＮＤゲートと、
前記ＮＡＮＤゲートから出力されたロー信号と前記ＧＰＳクロック受信部から前記ｐｐ２ｓ信号とを入力し、前記ｐｐ２ｓ信号の入力に応じて前記シグナル２信号を発生し、前記ロー信号の入力に応じて前記シグナル２信号を発生しないＤフリップフロップと
を含むことを特徴とする請求項２に記載の基地局通話領域拡張用クロック発生装置。
【請求項４】
前記第１領域拡張クロック発生器は、
前記４進カウンタの出力値である前記ａ１信号を入力して反転する第１インバータと、
該第１インバータから前記ａ１信号が反転された信号と前記４進カウンタの出力値である前記ａ０信号とを入力して論理積を行って出力するＡＮＤゲートと、
該ＡＮＤゲートから出力された信号をクリア信号に入力し、前記ＧＰＳクロック受信部から前記ｐｐ２ｓ信号をクロック信号に入力してシグナル３信号を発生するＤフリップフロップと、
前記Ｄフリップフロップから出力された信号を入力して反転する第２インバータと、
前記比較器から出力された前記シグナル１信号と前記第２インバータから前記シグナル３信号が反転された信号を入力して論理和を行って第１通話領域拡張信号を発生するＯＲゲートと
を含むことを特徴とする請求項２に記載の基地局通話領域拡張用クロック発生装置。
【請求項５】
前記第２領域拡張クロック発生器は、
前記４進カウンタの出力値である前記ａ１信号を入力して反転する第１インバータと、
前記４進カウンタの出力値である前記ａ０信号を入力して反転する第２インバータと、
前記第１インバータから前記ａ１信号が反転された信号と前記４進カウンタの出力値である前記ａ０信号と前記信号発生部から前記シグナル２信号とを入力して論理積を行って出力する第１ＡＮＤゲートと、
前記第２インバータから前記ａ０信号が反転された信号と前記４進カウンタの出力値である前記ａ１信号とを入力して論理積を行って出力する第２ＡＮＤゲートと、
前記第１ＡＮＤゲートから出力された信号をクロック信号に入力し、前記第２ＡＮＤゲートから出力された信号をクリア信号に入力してシグナル４信号を発生するＤフリップフロップと、
該Ｄフリップフロップから出力された前記シグナル４信号を入力して反転する第３インバータと、
該第３インバータから前記シグナル４信号が反転された信号と前記比較器から出力された前記シグナル１信号とを入力して論理和を行って第２通話領域拡張信号を発生するＯＲゲートと
を含むことを特徴とする請求項２に記載の基地局通話領域拡張用クロック発生装置。
【請求項６】
前記第３領域拡張クロック発生器は、
前記４進カウンタの出力値である前記ａ０信号を入力して反転する第１インバータと、
前記第１インバータから前記ａ０信号が反転された信号と前記４進カウンタの出力値である前記ａ０信号と前記信号発生部から出力された前記シグナル２信号とを入力して論理積を行って出力する第１ＡＮＤゲートと、
前記４進カウンタの出力値である前記ａ０、ａ１信号を入力して論理積を行って出力する第２ＡＮＤゲートと、
前記第１ＡＮＤゲートから出力された信号をクロック信号に入力し、前記第２ＡＮＤゲートから出力された信号をクリア信号に入力してシグナル５信号を発生するＤフリップフロップと、
該Ｄフリップフロップから出力された前記シグナル５信号を入力して反転する第２インバータと、
前記信号発生部から出力された前記シグナル１信号と前記第２インバータから前記シグナル５信号が反転された信号とを入力して論理和を行って第３通話領域拡張信号を発生するＯＲゲートと
を含むことを特徴とする請求項２に記載の基地局通話領域拡張用クロック発生装置。
【請求項７】
前記マルチプレクサ部は、
前記ＧＰＳクロック受信部から出力された前記ｐｐ２ｓ信号と前記第１、第２、第３領域拡張クロック発生器から出力された前記第１、第１、第３通話領域拡張信号とを入力して、前記制御部の前記制御信号により前記ｐｐ２ｓ信号または前記第１通話領域拡張信号を選択的に出力する第１マルチプレクサと、
前記ＧＰＳクロック受信部から出力された前記ｐｐ２ｓ信号と前記第１、第２、第３領域拡張クロック発生器から出力された前記第１、第２、第３通話領域拡張信号とを入力して、前記制御部の前記制御信号により前記ｐｐ２ｓ信号または前記第１、第２通話領域拡張信号を選択的に出力する第２マルチプレクサと、
前記ＧＰＳクロック受信部から出力された前記ｐｐ２ｓ信号と前記第１、第２、第３領域拡張クロック発生器から出力された前記第１、第２、第３通話領域拡張信号とを入力して、前記制御部の前記制御信号により前記ｐｐ２ｓ信号または前記第１、第２、第３通話領域拡張信号を選択的に出力する第３マルチプレクサと
を含むことを特徴とする請求項２に記載の基地局通話領域拡張用クロック発生装置。
【発明の詳細な説明】
【０００１】
【発明の属する技術分野】
本発明は、基地局通話領域拡張用クロック発生装置に関し、より詳細には、基地局モデムに供給されるＧＰＳ基準信号を制御することによって、基地局の通話領域を拡大できるようにした基地局通話領域拡張用クロック発生装置に関する。
【０００２】
【従来の技術】
一般に、基地局で使用する基地局モデムは、ＧＰＳ（Ｇｌｏｂａｌ  Ｐｏｓｉｔｉｏｎｉｎｇ  Ｓｙｓｔｅｍ）から供給する基準信号であるｐｐ２ｓ（ｐｕｌｓｅ  ｐｅｒ  ２  ｓｅｃｏｎｄ）信号とシステムクロック（１９．６６０８ＭＨｚ）とを供給されて動作する。この場合、端末は、基地局から供給する同期チャネルに同期を合せて信号を送信する。
【０００３】
図１は、従来の一般基地局の通話領域を示した図である。基地局モデムから端末に入力される信号は、ＧＰＳ基準信号であるｐｐ２ｓ基準時間より遅延されて入力されるが、基地局モデムは、約５１２ＰＮ  ｃｈｉｐ（４１６．６７ｕｓｅｃ）より少ない遅延に対しては、復調（通話）が可能であり、４１６．６７ｕｓｅｃを距離で換算すれば、約６０ｋｍ程度となる。
【０００４】
【発明が解決しようとする課題】
基地局から約６０ｋｍ以上の距離から端末の信号が入力される場合、基地局モデムは、この信号を復調することができないために通話ができず、通話領域が限定される。このために、基地局設置の不可能な場所では、通話が不可能であるという問題があった。
【０００５】
本発明は、このような問題に鑑みてなされたもので、その目的とするところは、基地局モデムに供給されるＧＰＳ基準信号を制御することによって、基地局の通話領域を拡大できるようにした基地局通話領域拡張用クロック発生装置を提供することにある。
【０００６】
【課題を解決するための手段】
本発明は、このような目的を達成するために、請求項１に記載の発明は、ＧＰＳで受信した基準時間を基準としてシステムクロックとｐｐ２ｓ信号とを発生させるＧＰＳクロック受信部と、該ＧＰＳクロック受信部から伝送された前記システムクロックを入力して分配するシステムクロック分配器と、前記ＧＰＳクロック受信部から伝送された前記ｐｐ２ｓ信号を入力して通話距離を拡張できるように基地局同期信号であるクロック信号を発生させるクロック発生部と、前記クロック発生部から伝送された前記基地局同期信号であるクロック信号に同期してデータを変復調する複数の基地局モデムと、複数の前記基地局モデムに前記データを伝送するための制御信号を出力するＣＰＵと、該ＣＰＵから前記制御信号を入力して前記ＣＰＵが所望する前記基地局モデムに前記データが伝送できるように制御する制御部とを備えたことを特徴とする。
【０００７】
請求項２に記載の発明は、請求項１に記載の前記クロック発生部は、前記制御部から前記制御信号を入力してクロック遅延時間をセッティングするラッチ部と、前記ＧＰＳクロック受信部から伝送された前記システムクロックをカウンティングし、前記ｐｐ２ｓ信号が入力されるとクリアするカウンタと、前記ラッチ部でセッティングされた値と前記カウンタでカウントした値とが同じである場合にシグナル１信号を発生させる比較器と、該比較器から伝送された前記シグナル１信号をクロックに入力してカウンティングし、前記ＧＰＳクロック受信部から前記ｐｐ２ｓ信号を入力してクリアする４進カウンタと、該４進カウンタの出力値であるａ０、ａ１信号と前記ＧＰＳクロック受信部から前記ｐｐ２ｓ信号を入力してシグナル２信号を発生する信号発生部と、前記４進カウンタの出力値である前記ａ０、ａ１信号と前記ＧＰＳクロック受信部から前記ｐｐ２ｓ信号とを入力して、第１通話領域拡張信号を発生する第１領域拡張クロック発生器と、前記４進カウンタの出力値である前記ａ０、ａ１信号と前記信号発生部から前記シグナル２信号とを入力して、第２通話領域拡張信号を発生する第２領域拡張クロック発生器と、前記４進カウンタの出力値である前記ａ０、ａ１信号と前記信号発生部から前記シグナル２信号とを入力して、第３通話領域拡張信号を発生する第３領域拡張クロック発生器と、前記ＧＰＳクロック受信部から出力された前記ｐｐ２ｓ信号と前記第１、第２及び第３領域拡張クロック発生器から出力された前記第１、第２、第３通話領域拡張信号とを入力して、前記制御部から伝送された前記制御信号により設定された信号を出力するマルチプレクサ部とを含むことを特徴とする。
【０００８】
請求項３に記載の発明は、請求項２に記載の前記信号発生部は、前記４進カウンタの出力値である４ビットの前記ａ０、ａ１信号を入力してカウンティングした値が３となるとロー信号を出力するＮＡＮＤゲートと、前記ＮＡＮＤゲートから出力されたロー信号と前記ＧＰＳクロック受信部から前記ｐｐ２ｓ信号とを入力し、前記ｐｐ２ｓ信号の入力に応じて前記シグナル２信号を発生し、前記ロー信号の入力に応じて前記シグナル２信号を発生しないＤフリップフロップとを含むことを特徴とする。
【０００９】
請求項４に記載の発明は、請求項２に記載の前記第１領域拡張クロック発生器は、前記４進カウンタの出力値である前記ａ１信号を入力して反転する第１インバータと、該第１インバータから前記ａ１信号が反転された信号と前記４進カウンタの出力値である前記ａ０信号とを入力して論理積を行って出力するＡＮＤゲートと、該ＡＮＤゲートから出力された信号をクリア信号に入力し、前記ＧＰＳクロック受信部から前記ｐｐ２ｓ信号をクロック信号に入力してシグナル３信号を発生するＤフリップフロップと、前記Ｄフリップフロップから出力された信号を入力して反転する第２インバータと、前記比較器から出力された前記シグナル１信号と前記第２インバータから前記シグナル３信号が反転された信号を入力して論理和を行って第１通話領域拡張信号を発生するＯＲゲートとを含むことを特徴とする。
【００１０】
請求項５に記載の発明は、請求項２に記載の前記第２領域拡張クロック発生器は、前記４進カウンタの出力値である前記ａ１信号を入力して反転する第１インバータと、前記４進カウンタの出力値である前記ａ０信号を入力して反転する第２インバータと、前記第１インバータから前記ａ１信号が反転された信号と前記４進カウンタの出力値である前記ａ０信号と前記信号発生部から前記シグナル２信号とを入力して論理積を行って出力する第１ＡＮＤゲートと、前記第２インバータから前記ａ０信号が反転された信号と前記４進カウンタの出力値である前記ａ１信号とを入力して論理積を行って出力する第２ＡＮＤゲートと、前記第１ＡＮＤゲートから出力された信号をクロック信号に入力し、前記第２ＡＮＤゲートから出力された信号をクリア信号に入力してシグナル４信号を発生するＤフリップフロップと、該Ｄフリップフロップから出力された前記シグナル４信号を入力して反転する第３インバータと、該第３インバータから前記シグナル４信号が反転された信号と前記比較器から出力された前記シグナル１信号とを入力して論理和を行って第２通話領域拡張信号を発生するＯＲゲートとを含むことを特徴とする。
【００１１】
請求項６に記載の発明は、請求項２に記載の前記第３領域拡張クロック発生器は、前記４進カウンタの出力値である前記ａ０信号を入力して反転する第１インバータと、前記第１インバータから前記ａ０信号が反転された信号と前記４進カウンタの出力値である前記ａ０信号と前記信号発生部から出力された前記シグナル２信号とを入力して論理積を行って出力する第１ＡＮＤゲートと、前記４進カウンタの出力値である前記ａ０、ａ１信号を入力して論理積を行って出力する第２ＡＮＤゲートと、前記第１ＡＮＤゲートから出力された信号をクロック信号に入力し、前記第２ＡＮＤゲートから出力された信号をクリア信号に入力してシグナル５信号を発生するＤフリップフロップと、該Ｄフリップフロップから出力された前記シグナル５信号を入力して反転する第２インバータと、前記信号発生部から出力された前記シグナル１信号と前記第２インバータから前記シグナル５信号が反転された信号とを入力して論理和を行って第３通話領域拡張信号を発生するＯＲゲートとを含むことを特徴とする。
【００１２】
請求項７に記載の発明は、請求項２に記載の前記マルチプレクサ部は、前記ＧＰＳクロック受信部から出力された前記ｐｐ２ｓ信号と前記第１、第２、第３領域拡張クロック発生器から出力された前記第１、第１、第３通話領域拡張信号とを入力して、前記制御部の前記制御信号により前記ｐｐ２ｓ信号または前記第１通話領域拡張信号を選択的に出力する第１マルチプレクサと、前記ＧＰＳクロック受信部から出力された前記ｐｐ２ｓ信号と前記第１、第２、第３領域拡張クロック発生器から出力された前記第１、第２、第３通話領域拡張信号とを入力して、前記制御部の前記制御信号により前記ｐｐ２ｓ信号または前記第１、第２通話領域拡張信号を選択的に出力する第２マルチプレクサと、前記ＧＰＳクロック受信部から出力された前記ｐｐ２ｓ信号と前記第１、第２、第３領域拡張クロック発生器から出力された前記第１、第２、第３通話領域拡張信号とを入力して、前記制御部の前記制御信号により前記ｐｐ２ｓ信号または前記第１、第２、第３通話領域拡張信号を選択的に出力する第３マルチプレクサとを含むことを特徴とする。
【００１３】
【発明の実施の形態】
以下、当業者が本発明を容易に実施できるように、本発明を、好ましい実施例の図面を参照しながら説明する。
【００１４】
図２は、本発明の一実施形態に係る基地局通話領域拡張用クロック発生装置を示したブロック図である。基地局通話領域拡張用クロック発生装置は、ＧＰＳクロック受信部１００と、システムクロック分配器２００と、クロック発生部３００と、基地局モデム４００と、ＣＰＵ５００と、制御部６００とから構成されている。
【００１５】
ＧＰＳクロック受信部１００は、図示しなかったＧＰＳから受信した基準時間を基準として、システムクロックとｐｐ２ｓ信号とを発生させる役割をし、システムクロック分配器２００は、ＧＰＳクロック受信部１００から伝送されたシステムクロックを入力して分配する役割をする。
【００１６】
また、クロック発生部３００は、ＧＰＳクロック受信部１００から伝送されたｐｐ２ｓ信号を入力して、通話距離を拡張できるように基地局同期信号であるクロック信号を発生させる役割をし、基地局モデム４００は、複数個からなり、クロック発生部３００から伝送された基地局同期信号であるクロック信号に同期してデータを変復調する役割をする。
【００１７】
次いで、ＣＰＵ５００は、複数個からなる各々の基地局モデム４００にデータを伝送するための制御信号を出力する役割をし、制御部６００は、ＣＰＵ５００から制御信号を入力して、ＣＰＵ５００が所望する基地局モデム４００にデータが伝送できるように制御する役割をする。
【００１８】
図３は、本発明の一実施形態に係る基地局通話領域拡張用クロック発生装置におけるクロック発生部を示したブロック図である。クロック発生部３００は、ラッチ部３１０と、カウンタ３２０と、比較器３３０と、４進カウンタ３４０と、信号発生部３５０と、第１、第２、第３領域拡張クロック発生器３６０、３７０、３８０と、マルチプレクサ部３９０とから構成されている。
【００１９】
ラッチ部３１０は、制御部６００から制御信号を入力して、クロック遅延時間をセッティングする役割をし、カウンタ３２０は、ＧＰＳクロック受信部１００から伝送されたシステムクロックをカウンティングする一方、ｐｐ２ｓ信号が入力されれば、クリアする役割をする。
【００２０】
また、比較器３３０は、ラッチ部３１０でセッティングされた値とカウンタ３２０でカウントした値とが同じであれば、シグナル１信号を発生させる役割をし、４進カウンタ３４０は、比較器３３０から伝送されたシグナル１信号をクロックで入力してカウンティングする一方、ＧＰＳクロック受信部１００からｐｐ２ｓ信号を入力してクリアする役割をする。
【００２１】
図４は、本発明の一実施形態に係る基地局通話領域拡張用クロック発生装置のクロック発生部における信号発生部を示したブロック図である。信号発生部３５０は、ＮＡＮＤゲート３５１と、Ｄフリップフロップ３５２とから構成されている。
【００２２】
信号発生部３５０は、４進カウンタ３４０の出力値であるａ０、ａ１信号とＧＰＳクロック受信部１００からｐｐ２ｓ信号を入力して、シグナル２信号を発生する役割をする。
【００２３】
次いで、ＮＡＮＤゲート３５１は、４進カウンタ３４０の出力値である４ビットのａ０、ａ１信号を入力してカウンティングした値が３となれば、ロー信号を出力する役割をし、Ｄフリップフロップ３５２は、ＮＡＮＤゲート３５１から出力されたロー信号とＧＰＳクロック受信部１００からｐｐ２ｓ信号を入力して、ｐｐ２ｓ信号が入力した時、シグナル２信号を発生し、ロー信号が入力された時シグナル２信号を発生しない役割をする。
【００２４】
図５は、本発明の一実施形態に係る基地局通話領域拡張用クロック発生装置のクロック発生部における第１領域拡張クロック発生器を示したブロック図である。第１領域拡張クロック発生器３６０は、第１インバータ３６１と、ＡＮＤゲート３６２と、Ｄフリップフロップ３６３と、第２インバータ３６４と、ＯＲゲート３６５とから構成されている。
【００２５】
第１領域拡張クロック発生器３６０は、４進カウンタ３４０の出力値であるａ０、ａ１信号とＧＰＳクロック受信部１００とからｐｐ２ｓ信号を入力して第１通話領域拡張信号を発生する役割をする。
【００２６】
第１インバータ３６１は、４進カウンタ３４０の出力値であるａ１信号を入力して反転する役割をし、ＡＮＤゲート３６２は、第１インバータ３６１からａ１信号の反転した信号と４進カウンタ３４０の出力値であるａ０信号とを入力して、論理積をとって出力する役割をする。
【００２７】
一方、Ｄフリップフロップ３６３は、ＡＮＤゲート３６２から出力された信号をクリア信号に入力し、ＧＰＳクロック受信部１００からｐｐ２ｓ信号をクロック信号に入力して、シグナル３信号を発生する役割をし、第２インバータ３６４は、Ｄフリップフロップ３６３から出力された信号を入力して、反転する役割をする。
【００２８】
また、ＯＲゲート３６５は、比較器３３０から出力されたシグナル１信号と第２インバータ３６４からシグナル３信号の反転された信号とを入力して、論理和して第１通話領域拡張信号を発生する役割をする。
【００２９】
図６は、本発明の一実施形態に係る基地局通話領域拡張用クロック発生装置のクロック発生部における第２領域拡張クロック発生器を示すブロック図である。第２領域拡張クロック発生器３７０は、第１インバータ３７１と、第２インバータ３７２と、第１ＡＮＤゲート３７３と、第２ＡＮＤゲート３７４と、Ｄフリップフロップ３７５と、第３インバータ３７６と、ＯＲゲート３７７とから構成されている。
【００３０】
第２領域拡張クロック発生器３７０は、４進カウンタ３４０の出力値であるａ０、ａ１信号と信号発生部３５０からシグナル２信号を入力して第２通話領域拡張信号を発生する役割をする。
【００３１】
第１インバータ３７１は、４進カウンタ３４０の出力値であるａ１信号を入力して反転する役割をし、第２インバータ３７２は、４進カウンタ３４０の出力値であるａ０信号を入力して反転する役割をする。
【００３２】
また、第１ＡＮＤゲート３７３は、第１インバータ３７１からａ１の反転された信号と４進カウンタ３４０の出力値であるａ０信号及び信号発生部３５０からシグナル２信号を入力して、論理積をとって出力する役割をし、第２ＡＮＤゲート３７４は、第２インバータ３７２からａ０信号の反転された信号と４進カウンタ３４０の出力値であるａ１信号を入力して、論理積をとって出力する役割をする。
【００３３】
一方、Ｄフリップフロップ３７５は、第１ＡＮＤゲート３７３から出力された信号をクロック信号に入力する一方、第２ＡＮＤゲート３７４から出力された信号をクリア信号に入力して、シグナル４信号を発生する役割をし、第３インバータ３７６は、Ｄフリップフロップ３７５から出力されたシグナル４信号を入力して反転する役割をする。
【００３４】
ＯＲゲート３７７は、第３インバータ３７６からシグナル４信号の反転された信号と比較器３３０から出力されたシグナル１信号とを入力して、論理和をとって第２通話領域拡張信号を発生する役割をする。
【００３５】
図７は、本発明の一実施形態に係る基地局通話領域拡張用クロック発生装置のクロック発生部における第３領域拡張クロック発生器を示したブロック図である。第３領域拡張クロック発生器３８０は、第１インバータ３８１と、第１ＡＮＤゲート３８２と、第２ＡＮＤゲート３８３と、Ｄフリップフロップ３８４と、第２インバータ３８５と、ＯＲゲート３８６とから構成されている。
【００３６】
第３領域拡張クロック発生器３８０は、４進カウンタ３４０の出力値であるａ０、ａ１信号と信号発生部３５０からシグナル２信号を入力して第３通話領域拡張信号を発生する役割をする。
【００３７】
第１インバータ３８１は、４進カウンタ３４０の出力値であるａ０信号を入力して反転する役割をし、第１ＡＮＤゲート３８２は、第１インバータ３８１からａ０の反転された信号と４進カウンタ３４０の出力値であるａ０信号及び信号発生部３５０から出力されたシグナル２信号を入力して、論理積をとって出力する役割をする。
【００３８】
また、第２ＡＮＤゲート３８３は、４進カウンタ３４０の出力値であるａ０、ａ１信号を入力して、論理積をとって出力する役割をし、Ｄフリップフロップ３８４は、第１ＡＮＤゲート３８２から出力された信号をクロック信号に入力する一方、第２ＡＮＤゲート３８３から出力された信号をクリア信号に入力してシグナル５信号を発生する役割をする。
【００３９】
次いで、第２インバータ３８５は、Ｄフリップフロップ３８４から出力されたシグナル５信号を入力して反転する役割をし、ＯＲゲート３８６は、信号発生部３５０から出力されたシグナル１信号と第２インバータ３８５からシグナル５信号の反転された信号とを入力して、論理和をとって第３通話領域拡張信号を発生する役割をする。
【００４０】
図８は、本発明の一実施形態に係る基地局通話領域拡張用クロック発生装置のクロック発生部におけるマルチプレクサ部を示したブロック図である。マルチプレクサ部３９０は、第１、第２、第３マルチプレクサ３９１、３９２、３９３から構成されている。
【００４１】
マルチプレクサ部３９０は、ＧＰＳクロック受信部１００から出力されたｐｐ２ｓ信号と第１、第２、第３領域拡張クロック発生器３６０、３７０、３８０から出力された第１、第２、第３通話領域拡張信号を入力して、制御部６００から伝送された制御信号に応じて設定された信号を出力する役割をする。
【００４２】
第１マルチプレクサ３９１は、ＧＰＳクロック受信部１００から出力されたｐｐ２ｓ信号と第１、第２、第３領域拡張クロック発生器３６０、３７０、３８０から出力された第１、第２、第３通話領域拡張信号とを入力して、制御部６００の制御信号に応じてｐｐ２ｓ信号または第１通話領域拡張信号を選択的に出力する役割をする。
【００４３】
また、第２マルチプレクサ３９２は、ＧＰＳクロック受信部１００から出力されたｐｐ２ｓ信号と第１、第２、第３領域拡張クロック発生器３６０、３７０、３８０から出力された第１、第２、第３通話領域拡張信号を入力して、制御部６００の制御信号に応じてｐｐ２ｓ信号または第１、第２通話領域拡張信号を選択的に出力する役割をする。
【００４４】
次いで、第３マルチプレクサ３９３は、ＧＰＳクロック受信部１００から出力されたｐｐ２ｓ信号と第１、第２、第３領域拡張クロック発生器３６０、３７０、３８０から出力された第１、第２、第３通話領域拡張信号を入力して、制御部６００の制御信号に応じてｐｐ２ｓ信号、または第１、第２、第３通話領域拡張信号を選択的に出力する役割をする。
【００４５】
図９は、本発明の一実施形態に係る基地局通話領域拡張用クロック発生装置を用いた基地局の通話領域を示した図である。以下では、上記のように構成された基地局通話領域拡張用クロック発生装置の動作過程を説明する。
【００４６】
ＧＰＳクロック受信部１００が、図示しなかった、ＧＰＳから受信した基準時間を基準として基地局モデム４００で必要なシステムクロック（１９．６６０８ＭＨｚ）とｐｐ２ｓ信号を発生すると、システムクロック分配器２００では、ＧＰＳクロック受信部１００から伝送されたシステムクロックを入力して基地局モデム４００の数だけ分配して供給する。
【００４７】
また、クロック発生部３００は、ＧＰＳクロック受信部１００から伝送されたｐｐ２ｓ信号を入力して所望する領域の端末と通話ができるように、ｐｐ２ｓ信号を基地局モデム４００に供給し、この場合、ＣＰＵ５００では、基地局モデム４００にデータを伝送するための制御信号を伝送する。
【００４８】
すると、制御部６００では、ＣＰＵ５００から伝送された制御信号を入力し、ＣＰＵ５００が所望する基地局モデム４００にデータを伝送できるように、クロック発生部３００及び基地局モデム４００に制御信号を出力し、基地局モデム４００は、クロック発生部３００及びＣＰＵ５００から伝送されたｐｐ２ｓ信号及びデータを入力し、変復調して通話がなされる。
【００４９】
図１０は、本発明の一実施形態に係る基地局通話領域拡張用クロック発生装置のクロック発生部のタイミング・チャートである。上記のように、クロック発生部３００で通話がなされるようにする過程をさらに詳細に説明すれば、まずクロック発生装置が実装されているボードを、基地局領域が４個の領域に区分された所に使用すると想定し、次のようにクロック発生部のレジスタをセッティングする。
【００５０】
クロック発生部３００のラッチ部３１０が制御部６００から制御信号を入力して、クロック遅延時間をセッティングし、マルチプレクサ部３９０の第１マルチプレクサ３９１は、制御信号２に応じて第２通話領域拡張信号／ＲＥＧＩＯＮ２＿ＰＰ２Ｓが選択されるようにする。
【００５１】
また、第２マルチプレクサ３９２は、制御信号３に応じて第３通話領域拡張信号／ＲＥＧＩＯＮ３＿ＰＰ２Ｓが選択されるようにし、第３マルチプレクサ３９３は、制御信号４に応じて第４通話領域拡張信号／ＲＥＧＩＯＮ４＿ＰＰ２Ｓが選択されるようにする。
【００５２】
次いで、上述した内容を参照し、端末の通話領域を拡張する過程を説明すれば、端末が、図９に示すように、領域１で通話をしていれば、上記で説明したように、領域１を担当する基地局モデム４０１と通話をすることとなる。
【００５３】
この場合、端末が領域２に移動することとなれば、領域１にある基地局モデム４０１は、領域２の端末から伝送されるデータを復調できない。なぜならば、領域２から伝送されるデータは、５１２ＰＮ  ｃｈｉｐ  ＋領域２内の遅延が発生する。これをさらに説明すれば、領域１にある基地局モデム４０１は、基準信号より５１２ＰＮ  ｃｈｉｐ少ない遅延のみに対して復調が可能であるために、領域２から伝送されるデータは復調できない。
【００５４】
上記のように、領域１に該当する基地局モデム４０１で通話ができなくなれば、ＣＰＵ５００で端末器が領域２にあるということを感知して、領域２にある基地局モデム４０２と通話をするように制御信号を出力し、これを制御部６００に入力して、これに相応する制御信号を出力する。
【００５５】
すると、クロック発生部３００のラッチ部３１０は、制御部６００から制御信号を入力してクロック遅延時間をセッティングし、カウンタ３２０では、ＧＰＳクロック受信部１００から伝送されたシステムクロックをカウンティングする一方、ｐｐ２ｓ信号が入力されれば、システムクロックのカウンティング個数をクリアする。
【００５６】
次いで、比較器３３０では、ラッチ部３１０でセッティングされた値とカウンタ３２０でカウンティングした値とが同一であるならば、シグナル１信号を発生させ、４進カウンタ３４０では、比較器３３０から伝送されたシグナル１信号をクロックで入力されてカウンティングする一方、ＧＰＳ受信クロック部１００からｐｐ２ｓ信号が入力されれば、シグナル１信号をカウンティングした値をクリアさせる。
【００５７】
一方、信号発生部３５０のＮＡＮＤゲート３５１から４進カウンタ３４０の出力値である４ビットのａ０、ａ１信号を入力して、カウンティングした値が３であるならば、ロー信号を出力し、Ｄフリップフロップ３５２では、ＮＡＮＤゲート３５１から出力されたロー信号とＧＰＳクロック受信部１００からｐｐ２ｓ信号を入力して、ｐｐ２ｓ信号が入力された時、シグナル２信号を発生し、ロー信号が入力された時、シグナル２信号を発生しない。
【００５８】
すると、第１領域拡張クロック発生器３６０の第１インバータ３６１で４進カウンタ３４０の出力値であるａ１信号を入力して反転して出力し、ＡＮＤゲート３６２が第１インバータ３６１からａ１信号の反転された信号と４進カウンタ３４０の出力値であるａ０信号を入力して論理積をとって出力する。
【００５９】
また、Ｄフリップフロップ３６３では、ＡＮＤゲート３６２から出力された信号をクリア信号で入力し、ＧＰＳクロック受信部１００からｐｐ２ｓ信号をクロック信号に入力して、シグナル３信号を出力すれば、第２インバータ３６４がＤフリップフロップ３６３から出力された信号を入力して反転する。
【００６０】
また、ＯＲゲート３６５で比較器３３０から出力されたシグナル１信号と第２インバータ３６４からシグナル３信号の反転された信号を入力して、論理和をとって第１通話領域拡張信号である領域２信号を発生することとなり、これによって領域１から領域２に移動した端末と領域２を担当する基地局モデム４０２は、通話がなされる。
【００６１】
一方、端末が領域３に移動することとなれば、第２領域拡張クロック発生器３７０の第１インバータ３７１から４進カウンタ３４０の出力値であるａ１信号を入力して反転させ、第２インバータ３７２では、４進カウンタ３４０の出力値であるａ０信号を入力して反転させる。
【００６２】
すると、第１ＡＮＤゲート３７３で、第１インバータ３７１から反転されたａ１信号と４進カウンタ３４０の出力値であるａ０信号及び信号発生部３５０からシグナル２信号を入力して論理積をとって出力させ、第２ＡＮＤゲート３７４で、第２インバータ３７２から反転されたａ０信号と４進カウンタ３４０の出力値であるａ１信号を入力して論理積をとって出力させる。
【００６３】
また、Ｄフリップフロップ３７５では、第１ＡＮＤゲート３７３から出力された信号をクロック信号に入力し、第２ＡＮＤゲート３７４から出力された信号をクリア信号に入力してシグナル４信号を発生し、第３インバータ３７６では、Ｄフリップフロップ３７５からシグナル４信号を入力して反転して出力する。
【００６４】
すると、ＯＲゲート３７７では、第３インバータ３７６からシグナル４信号の反転された信号と比較器３３０から出力されたシグナル１信号とを入力して、論理和をとって第２通話領域拡張信号である領域３信号を発生して、領域２から領域３に移動した端末と領域３とを担当する基地局モデム４００は、通話がなされる。
【００６５】
また、端末器が領域４に移動すなれば、第３領域拡張クロック発生器３８０の第１インバータ３８１で４進カウンタ３４０の出力値であるａ０信号を反転させて出力し、第１ＡＮＤゲート３８２では、第１インバータ３８１からａ０信号の反転された信号と４進カウンタ３４０の出力値であるａ０信号及び信号発生部３５０からシグナル２信号を入力して論理積をとって出力させる。
【００６６】
次いで、第２ＡＮＤゲート３８３は、４進カウンタ３４０の出力値であるａ０、ａ１信号を入力して論理積をとって出力させ、Ｄフリップフロップ３８４では、第１ＡＮＤゲート３８２から出力された信号をクロック信号に入力する一方、第２ＡＮＤゲート３８３から出力された信号をクリア信号に入力してシグナル５信号を発生させる。
【００６７】
すると、第２インバータ３８５では、Ｄフリップフロップ３８４から出力されたシグナル５信号を入力して反転させ、ＯＲゲート３８６では、信号発生部３５０から出力されたシグナル１信号と第２インバータ３８５からシグナル５信号の反転された信号とを入力して、論理和をとって第３通話領域拡張信号である領域４信号を発生して、領域３から領域４に移動した端末と領域４を担当する基地局モデム４００とは、通話がなされる。
【００６８】
すなわち、領域２に該当する基地局モデム４０２で通話ができなくなれば、ＣＰＵ５００で端末が領域３にあるということを感知して、領域３にある基地局モデム４０３と通話をするように制御信号を出力し、これを制御部６００に入力して、これに相応する制御信号を出力する。
【００６９】
これによって、領域２から領域３に移動した端末と領域３を担当する基地局モデム４０３とは、通話がなされる。
【００７０】
また、領域３に該当する基地局モデム４０３で通話ができなくなれば、ＣＰＵ５００で端末が領域４にあるということを感知して、領域４にある基地局モデム４０４と通話をするように制御信号を出力し、これを制御部６００に入力してこれに相応する制御信号を出力する。
【００７１】
すると、領域３から領域４に移動した端末と領域４を担当する基地局モデム４０４とは、通話がなされる。
【００７２】
一方、上記のようにＧＰＳクロック受信部１００から出力された基準信号であるｐｐ２ｓ信号と前記第１、第２、第３領域拡張クロック発生器３６０、３７０、３８０から出力された第１、第２、第３通話領域拡張信号を、マルチプレクサ部３９０の第１、第２、第３マルチプレクサ３９１、３９２、３９３に入力して、制御部６００の制御信号に応じてｐｐ２ｓ信号及び第１、第２、第３領域拡張クロック信号を出力する。
【００７３】
すなわち、マルチプレクサ部３９０から第１、第２、第３領域拡張クロック信号を出力する過程を、図８を参照して説明すれば、／ＲＥＧＩＯＮ１＿ＰＰ２Ｓ、／ＲＥＧＩＯＮ２＿ＰＰ２Ｓ、／ＲＥＧＩＯＮ３＿ＰＰ２Ｓ、／ＲＥＧＩＯＮ４＿ＰＰ２Ｓ信号は、第１、第２、第３領域拡張クロック発生器３６０、３７０、３８０から出力されるｐｐ２ｓ信号及び第１、第２、第３領域拡張クロック信号であり、制御部６００から出力された制御信号は、２、３、４であるためである。
【００７４】
また、本発明の技術思想は、上記好ましい実施形態によって具体的に記述されたが、上記した実施例はその説明のためのものであって、その制限のためのものでないことに留意されるべきである。また、本発明の技術分野の通常の専門家であるならば、本発明の技術思想の範囲内で種々の実施例が可能であることを理解されるべきである。
【００７５】
【発明の効果】
以上で説明したように、本発明によれば、基地局通話領域拡張用クロック発生装置は、基地局モデムに供給されるＧＰＳ基準信号であるｐｐ２ｓ信号を制御することによって、基地局の通話領域を最大４倍に拡大することができ、基地局の通話領域が拡大されることによって基地局の設置が不可能な海やユーザの少ない地域に基地局を新しく設置せずに通話が可能となって、追加的な基地局なしに通話領域を拡大することができるので設置費用を低減することが可能となる。
【図面の簡単な説明】
【図１】従来の一般基地局の通話領域を示した図である。
【図２】本発明の一実施形態に係る基地局通話領域拡張用クロック発生装置を示したブロック図である。
【図３】本発明の一実施形態に係る基地局通話領域拡張用クロック発生装置におけるクロック発生部を示したブロック図である。
【図４】本発明の一実施形態に係る基地局通話領域拡張用クロック発生装置のクロック発生部における信号発生部を示したブロック図である。
【図５】本発明の一実施形態に係る基地局通話領域拡張用クロック発生装置のクロック発生部における第１領域拡張クロック発生器を示したブロック図である。
【図６】本発明の一実施形態に係る基地局通話領域拡張用クロック発生装置のクロック発生部における第２領域拡張クロック発生器を示したブロック図である。
【図７】本発明の一実施形態に係る基地局通話領域拡張用クロック発生装置のクロック発生部における第３領域拡張クロック発生器を示したブロック図である。
【図８】本発明の一実施形態に係る基地局通話領域拡張用クロック発生装置のクロック発生部におけるマルチプレクサ部を示したブロック図である。
【図９】本発明の一実施形態に係る基地局通話領域拡張用クロック発生装置を用いた基地局の通話領域を示した図である。
【図１０】本発明の一実施形態に係る基地局通話領域拡張用クロック発生装置のクロック発生部のタイミング・チャートである。
【符号の説明】
１００    ＧＰＳクロック受信部
２００    システムクロック分配器
３００    クロック発生部
４００    基地局モデム
５００    ＣＰＵ
６００    制御部
３１０    ラッチ部
３２０    カウンタ
３３０    比較器
３４０    ４進カウンタ
３５０    信号発生部
３６０    第１領域拡張クロック発生器
３７０    第２領域拡張クロック発生器
３８０    第３領域拡張クロック発生器
３９０    マルチプレクサ部
３５１    ＮＡＮＤゲート
３５２，３６３，３７５，３８４    Ｄフリップフロップ
３６１，３７１，３７２，３８１    第１インバータ
３６２    ＡＮＤゲート
３６４，３８５    第２インバータ
３６５，３７７，３８６    ＯＲゲート
３７３，３８２    第１ＡＮＤゲート
３７４，３８３    第２ＡＮＤゲート
３７６    第３インバータ
３９１    第１マルチプレクサ
３９２    第２マルチプレクサ
３９３    第３マルチプレクサ
【図１】
0003569721.tif 000002
【図２】
0003569721.tif 000003
【図３】
0003569721.tif 000004
【図４】
0003569721.tif 000005
【図５】
0003569721.tif 000006
【図６】
0003569721.tif 000007
【図７】
0003569721.tif 000008
【図８】
0003569721.tif 000009
【図９】
0003569721.tif 000010
【図１０】
0003569721.tif 000011